(57)【特許請求の範囲】
【請求項１】
カラオケ演奏装置に背景映像選択手段と、利用者ＩＤ取得手段と、利用者属性情報記録手段と、背景映像別楽曲別利用者属性情報管理手段と、背景映像選択頻度統計手段を備えたカラオケシステムであって、
背景映像選択手段は、所定の楽曲についてジャンル分けされた複数の背景映像の中から所望の背景映像を選択可能に形成され、かつ、前記ジャンルには、少なくとも所定の企業もしくは企業商品を表示するコマーシャル背景映像に対応したコマーシャルジャンルが含まれ、
利用者ＩＤ取得手段は、当該カラオケシステムにログインする利用者のＩＤを、利用者ＩＤ記録媒体より識別して取得し、
利用者属性情報記録手段は、当該カラオケシステムにログインした利用者の性別や年齢などを含む利用者属性情報を記録し、
背景映像別楽曲別利用者属性情報管理手段は、任意の利用者が所望の楽曲を予約登録する際に、前記ジャンルの中から少なくとも前記コマーシャルジャンルの中のコマーシャル背景映像を選択したときに、当該選択されたコマーシャル背景映像の背景映像ＩＤと、前記予約登録された楽曲ＩＤと、当該利用者ＩＤに基づく利用者の性別や年齢などの利用者属性情報を対応づけて記録し、
背景映像選択頻度統計手段は、前記記録された背景映像ＩＤと、楽曲ＩＤと、利用者属性情報に基づき、
コマーシャル背景映像と楽曲の組み合わせが何回選択されたか、あるいは利用者属性情報を所定の条件にて区分し、それぞれの区分にてコマーシャル背景映像が何回選択されたか、あるいは利用者属性情報を所定の条件にて区分し、それぞれの区分にてコマーシャル背景映像と楽曲の組み合わせが何回選択されたか、その選択頻度を統計することを、特徴とする背景映像の選択頻度統計機能付きカラオケシステム。
【発明の詳細な説明】
【技術分野】
【０００１】
本発明は背景映像を選択できるカラオケシステムに関するものであり、特に、コマーシャルジャンルが含まれた背景映像が選択される頻度を背景映像別楽曲別、あるいは背景映像別利用者属性情報別、あるいは背景映像別楽曲別利用者属性情報別に統計できるようにしたカラオケシステムに関するものである。
【背景技術】
【０００２】
カラオケシステムは、カラオケ伴奏の演奏楽曲と歌詞画像を同期して音響映像出力するものであるが、一般に歌詞画像は動画を背景映像にして一緒に表示される。この背景映像は、長時間分の背景映像の中から演奏楽曲や歌詞の内容に対応するジャンル別に映像を使い回す共用映像方式と、特定の楽曲専用に作成された専用映像方式とがある。
【０００３】
近時、広告メディアの浸透により、複数の広告映像データを演奏楽曲のジャンルに対応して分類記憶させ、利用者が選択した楽曲に応じた広告映像を広告モニタに表示させるカラオケシステムが提案されている（例えば特許文献１参照）。
【０００４】
また、カラオケ演奏以外の第１情報を提供する手段と、該情報よりも詳細な第２情報を提供する手段と、第１もしくは第２情報の提供回数を記録する手段を備え、前記第１情報を例えばコマーシャル情報とし、第２情報はさらに詳細なコマーシャル情報としたカラオケシステムであって、第１もしくは第２情報の提供回数によって利用者のニーズに応じたコマーシャル情報を提供するようにしたカラオケシステムも知られている（例えば特許文献２参照）。
【特許文献１】特許３３２７７２９号公報
【特許文献２】特開平１０−２２２１７４号公報
【発明の開示】
【発明が解決しようとする課題】
【０００５】
特許文献１記載の発明は、カラオケシステムの背景映像表示モニタとは別に広告表示専用モニタを設置し、この専用モニタに広告映像が表示されるものであり、広告映像が利用者の視覚から外れる場合は効果的なインパクトを与え難い。また、カラオケ料金を支払う利用者の意思に関わらず強制的に広告映像が表示され、かつ、広告映像の種類を任意に選択することができないので、利用者にとって広告映像が煩わしく感じることもあり、ひいては当該広告の商品もしくは企業に対する反感が生じるおそれがある。
【０００６】
特許文献２記載の発明は、楽曲のジャンルに応じた第１情報を提供するとともに、カラオケシステムの利用者の要求により、第１情報よりも詳細な第２情報を提供し、情報の提供回数に応じて情報内容を更新するので、利用者のニーズに対応したコマーシャル情報を提供できる。しかし、楽曲のジャンルに対応して情報の提供回数は記録されるが、利用者の性別や年齢などの属性情報は記録されないため、利用者の属性情報に対応した効果的なコマーシャル情報を提供することはできない。
【０００７】
そこで、カラオケシステムの利用者に対して、広告映像を強制的に表示するのではなく、利用者の意思により広告映像を任意に選択できるようにするとともに、背景映像の選択頻度を選択された背景映像と予約登録された楽曲と当該利用者の属性情報に基づいて統計できるようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、カラオケ演奏装置に背景映像選択手段と、利用者ＩＤ取得手段と、利用者属性情報記録手段と、背景映像別楽曲別利用者属性情報管理手段と、背景映像選択頻度統計手段を備えたカラオケシステムであって、背景映像選択手段は、所定の楽曲についてジャンル分けされた複数の背景映像の中から所望の背景映像を選択可能に形成され、かつ、前記ジャンルには、少なくとも所定の企業もしくは企業商品を表示するコマーシャル背景映像に対応したコマーシャルジャンルが含まれ、利用者ＩＤ取得手段は、当該カラオケシステムにログインする利用者のＩＤを、利用者ＩＤ記録媒体より識別して取得し、利用者属性情報記録手段は、当該カラオケシステムにログインした利用者の性別や年齢などを含む利用者属性情報を記録し、背景映像別楽曲別利用者属性情報管理手段は、任意の利用者が所望の楽曲を予約登録する際に、前記ジャンルの中から少なくとも前記コマーシャルジャンルの中のコマーシャル背景映像を選択したときに、当該選択されたコマーシャル背景映像の背景映像ＩＤと、前記予約登録された楽曲ＩＤと、当該利用者ＩＤに基づく利用者の性別や年齢などの利用者属性情報を対応づけて記録し、背景映像選択頻度統計手段は、前記記録された背景映像ＩＤと、楽曲ＩＤと、利用者属性情報に基づき、コマーシャル背景映像と楽曲の組み合わせが何回選択されたか、あるいは利用者属性情報を所定の条件にて区分し、それぞれの区分にてコマーシャル背景映像が何回選択されたか、あるいは利用者属性情報を所定の条件にて区分し、それぞれの区分にてコマーシャル背景映像と楽曲の組み合わせが何回選択されたか、その選択頻度を統計することを、特徴とする背景映像の選択頻度統計機能付きカラオケシステムを提供する。
【０００９】
この構成によれば、カラオケシステムには、演奏楽曲や歌詞の内容に対応してジャンル分けされた複数の背景映像が記録されており、所定の企業もしくは企業商品を表示するコマーシャル背景映像に対応したコマーシャルジャンルが含まれている。利用者が所望の楽曲を選択して予約登録する際に、前記複数ジャンルの背景映像の中から、所望の背景映像を選択する。当該利用者が前記ジャンルの中から少なくともコマーシャルジャンルを選択したときは、選択された背景映像ＩＤと、予約登録された楽曲ＩＤと、利用者ＩＤに基づく利用者の性別や年齢などの利用者属性情報を対応づけて記録し、この記録された背景映像ＩＤと楽曲ＩＤと利用者属性情報に基づいて、背景映像の選択頻度を統計する。
【００１１】
この構成によれば、利用者が背景映像としてコマーシャルジャンルを選択したときに記録された、背景映像ＩＤと楽曲ＩＤと利用者属性情報に基づいて、背景映像別楽曲別、あるいは背景映像別利用者属性情報別、あるいは背景映像別楽曲別利用者属性別の背景映像の選択頻度を統計する。
【発明の効果】
【００１２】
本発明は、上述したように、カラオケ料金を支払う利用者に対して強制的ではなく、利用者の意思によってコマーシャル背景映像を選択するので、選択の自由度があって利用者に好感を与えることができる。また、カラオケシステムのコマーシャル背景映像の選択頻度を記録し、当該背景映像別に利用者の属性情報などを統計することができるため、楽曲のジャンルおよび利用者の属性情報に対応した効果的なコマーシャル情報を提供することができる。
【発明を実施するための最良の形態】
【００１３】
以下、本発明に係る背景映像選択の楽曲別統計機能付きカラオケシステムについて、好適な実施例をあげて説明する。カラオケシステムの利用者に対して、広告映像を強制的に表示するのではなく、利用者の意思により広告映像を任意に選択できるようにするとともに、楽曲別に背景映像の選択頻度と利用者の属性情報を統計できるようにするという目的を達成するために、本発明は、カラオケ演奏装置に背景映像選択手段と、利用者ＩＤ取得手段と、利用者属性情報記録手段と、背景映像別楽曲別利用者属性情報管理手段と、背景映像選択頻度統計手段を備えたカラオケシステムであって、背景映像選択手段は、所定の楽曲についてジャンル分けされた複数の背景映像の中から所望の背景映像を選択可能に形成され、かつ、前記ジャンルには、少なくとも所定の企業もしくは企業商品を表示するコマーシャル背景映像に対応したコマーシャルジャンルが含まれ、利用者ＩＤ取得手段は、当該カラオケシステムにログインする利用者のＩＤを、利用者ＩＤ記録媒体より識別して取得し、利用者属性情報記録手段は、当該カラオケシステムにログインした利用者の性別や年齢などを含む利用者属性情報を記録し、背景映像別楽曲別利用者属性情報管理手段は、任意の利用者が所望の楽曲を予約登録する際に、前記ジャンルの中から少なくとも前記コマーシャルジャンルの中の背景映像を選択したときに、選択された当該背景映像ＩＤと、前記予約登録された楽曲ＩＤと、当該利用者ＩＤに基づく利用者の性別や年齢などの利用者属性情報を対応づけて記録し、背景映像選択頻度統計手段は、前記記録された背景映像ＩＤと、楽曲ＩＤと、利用者属性情報に基づいて、背景映像の選択頻度を統計するように構成することにより実現した。
【実施例１】
【００１４】
図１は本発明に係るカラオケシステムの全体構成図であり、カラオケ演奏装置１０はＣＰＵ、ＲＡＭ、ＲＯＭ等を含む中央制御部１１を有し、ルータやモデム等の回線終端装置１２を介してネットワーク通信回線１００に接続され、該ネットワーク通信回線１００を介してカラオケホスト装置２００に接続されている。後述するように、カラオケ演奏装置１０から利用者の選曲情報をカラオケホスト装置２００へ送り、カラオケホスト装置２００からカラオケデータを受け取ってハードディスク装置１３に格納する。また、利用者から利用者ＩＤを取得してカラオケホスト装置２００へ送り、カラオケホスト装置２００から当該利用者の利用者情報を受け取る。
【００１５】
カラオケ演奏装置１０はリモコン装置５０を有し、該リモコン装置５０には表示部と入力部が一体になったグフィカルユーザーインターフェイス（以下ＧＵＩという）５１が設けられている。利用者がＧＵＩ５１に表示される楽曲一覧から所望の楽曲を選択すれば、リモコン装置５０からカラオケ演奏装置１０へ当該楽曲ＩＤを含む選曲情報信号が送信される。この選曲情報信号がカラオケ演奏装置１０に備えられているリモコン送受信部１４にて受信されると、受信された選曲情報信号が操作制御部１５を介して前記中央制御部１１に送られる。また、カラオケ演奏装置１０の本体に設けられている操作パネル１６にて直接楽曲ＩＤを入力した場合も、操作パネル１６から操作制御部１５を介して前記中央制御部１１に選曲情報信号が送られる。
【００１６】
中央制御部１１は操作制御部１５から選曲情報信号を受け取ると、選択された楽曲を選曲予約手段にて予約し、該当するカラオケデータを前記ハードディスク装置１３から読み出す。選曲情報に該当するカラオケデータがハードディスク装置１３に存在しないときは、前述した回線終端装置１２を介してネットワーク通信回線１００と接続し、前記カラオケホスト装置２００から該当するカラオケデータをダウンロードしてハードディスク装置１３に格納する。
【００１７】
前記カラオケデータは、カラオケ楽曲の伴奏音楽を生成するための演奏データと、モニタ等の表示手段に出力される歌詞テロップおよび背景映像である動画等を含んでいる。演奏データはＭＩＤＩ規格などで符号化された音源制御情報であり、画像データはコード化された歌詞文字群やＭＰＥＧ規格などで圧縮された映像の情報を含んでいる。
【００１８】
中央制御部１１は該当するカラオケデータから楽曲データをシンセサイザ１７に順次転送し、該シンセサイザ１７はこの楽曲データに従って伴奏音楽を生成する。シンセサイザ１７によって生成された伴奏音楽は、ミキシングアンプ１８を通ってスピーカ１９から再生される。一方、利用者が歌唱する音声はマイク２０に集音され、前記ミキシングアンプ１８で伴奏音楽とミキシングされてスピーカ１９から再生される。
【００１９】
また、中央制御部１１は当該カラオケデータからこの伴奏音楽の生成に同期させて歌詞描出データを処理し、歌詞文字群を順次映像制御部２１にビットマップ展開させる。さらに、当該カラオケデータから楽曲に対応する動画データを抽出し、映像制御部２１にて背景映像に前記歌詞文字群をスーパーインポーズし、背景映像と歌詞文字群を表示手段であるモニタ２２の画面に表示させる。
【００２０】
ここで、前記リモコン装置５０にはＧＵＩ５１のほかに、利用者ＩＤ記録媒体の一例であるＩＣカード５２を読み取るためのカードリーダ５３が設けられている。利用者が自分のＩＣカード５２を前記カードリーダ５３にセットし、ＧＵＩ５１に表示される、例えばログインボタンなどを押すことにより、利用者ＩＤ取得手段であるカードリーダ５３が利用者ＩＤを識別して取得することにより、当該利用者がカラオケシステムにログインすることができる。
【００２１】
当該利用者のカラオケシステムへのログインに伴い、カラオケホスト装置２００から当該利用者の顔写真やアバター、あるいは利用者が登録したお気に入り楽曲などの利用者情報が送られる。カラオケ演奏装置１００は、この利用者情報を記録して管理するとともに、リモコン装置５０にも送信する。リモコン装置５０は受け取った利用者情報を利用者毎に管理し、利用者の名前や顔写真などを選択することで利用者が自身を特定できる利用者識別用インタフェースをＧＵＩ５１に表示する。利用者はＧＵＩ５１に表示される名前や顔写真の中から自分を指定することで、利用者ＩＤに基づく楽曲の選択が可能となる。
【００２２】
なお、前記利用者ＩＤ記録媒体としては前述のＩＣカード５２に限定されず、例えば携帯電話に利用者ＩＤを記録するマイクロチップを内蔵しておき、該携帯電話をリモコン装置にセットして利用者ＩＤを読み取るように構成することもできる。かかる構成の場合は、特にＩＣカードを別途用意する必要がなく、利用者が通常に持っている携帯電話にてカラオケシステムにログインすることができ、当該利用者が使用する楽器の選択も自動的に行われる。また、利用者ＩＤ記録媒体から利用者ＩＤを読み取る装置は、前記リモコン装置５０に設けなくてもよく、他の機器或いは単独して設置してもよい。
【００２３】
ここで、背景映像について述べれば、前述した共用映像ならびに専用映像の何れの形式にしても、従来のカラオケシステムでは、ほとんどの場合、利用者が背景映像を選択することはできなかったが、本発明のカラオケシステムでは、所定の楽曲についてジャンル分けされた複数の背景映像の中から所望の背景映像を利用者が選択できるように形成されている。
【００２４】
図２は制御手順のフローチャート、図３は制御手段のブロック図、図４は利用者属性情報、図５は背景映像別楽曲別利用者属性情報管理テーブル、図６は背景映像ＩＤ別楽曲ＩＤ別背景映像選択頻度テーブル、図７は背景映像ＩＤ別利用者属性情報別背景映像選択頻度テーブル、図８は背景映像ＩＤ別楽曲ＩＤ別利用者属性情報別背景映像選択頻度テーブル、図９〜図１３は背景映像の選択画面、図１４は、楽曲毎のＣＭ背景映像選択比率をＣＭ背景映像別に示した説明図、図１５は所定の背景映像と楽曲の組合せについての利用者属性情報と楽曲属性情報とのスポンサーへのフィードバックを示した説明図、である。図１〜図１５に従って、当該カラオケシステムにおける背景映像選択操作について説明する。なお、説明の都合上、以下とくに記述がないかぎり、各手段のプログラムあるいは各手段によって生成または記録されるデータは、カラオケ演奏装置１０の中央制御部１１内のメモリもしくはハードディスク装置１３に記録されるものとする。
【００２５】
先ず、前述したように利用者ＩＤ取得手段であるカードリーダ５３に利用者のＩＣカード５２をセットすることにより、当該利用者の利用者ＩＤが取得されて中央制御部１１に送られる（ステップ101）。中央制御部１１は、回線終端装置１２を介してカラオケホスト装置２００にこの取得された利用者ＩＤを送信し、カラオケホスト装置２００は送られてきた利用者ＩＤ対応付けされて記録されている当該利用者の利用者情報を返信する。
【００２６】
中央制御部１１は、取得された利用者ＩＤに基づく利用者情報がカラオケホスト装置２００から送られ、当該利用者は当該カラオケシステムへのログイン状態となる。ここで、利用者属性情報記録手段は、カラオケホスト装置２００から送られてきた利用者情報の中に含まれている属性情報を、ログインした利用者の「利用者属性情報」としてカラオケ演奏装置１０に記録する。図４は、この「利用者属性情報」の一例を示しており、この「利用者属性情報」には、利用者ＩＤと、生年月日と性別が記録されている。なおこの場合、現在３人の利用者がログインしていることになる。
【００２７】
当該利用者はリモコン装置５０のＧＵＩ５１に表示される名前や顔写真の中から自分を指定した後、所望の楽曲（楽曲Ａとする）を選択する（ステップ102）。図９に示す楽曲一覧から例えば「愛の形」を選択すれば、図１０に示すようにその楽曲の詳細な属性情報を含んだ転送画面が表示される。また、この転送画面の隅の箇所に「背景画像選択」ボタンが表示され当該利用者は背景映像を選択するかどうかを決める（ステップ103）。もし、利用者が背景映像の選択を希望しない場合は、「転送」ボタンを押すことにより、利用者ＩＤ及び楽曲ＩＤが選曲情報信号としてカラオケ演奏装置１０の中央制御部１１に送られて、楽曲に応じて予めシステムが規定している背景映像ＩＤが選択され、楽曲の予約が行われる。（ステップ103→104）。
【００２８】
利用者により背景画像が選択された場合は、図１１に示すように、リモコン装置５０のＧＵＩ５１に先ず背景映像のジャンルが表示される。例えば「１自然」「２動物」「３花」「４都会」「５コマーシャル」などのジャンルが表示され、利用者は所望するジャンルの番号を選択する。本発明では、前記ジャンルに、少なくとも所定の企業もしくは企業商品を表示するコマーシャル背景映像に対応したコマーシャルジャンルが含まれている（以下コマーシャルをＣＭと表記する）。
【００２９】
利用者が「ＣＭ」ジャンルを選択したときは、図１２に示すように、「ＣＭ」ジャンルの中からさらに複数のＣＭ背景映像のメニューが表示され、利用者はその中から所望するＣＭ背景映像の番号を選択する（ステップ105→106）。例えば、「２エコー堂化粧品」を選択することで図１０の転送画面に戻り、「転送」ボタンを押すことにより、「エコー堂化粧品」の背景映像ＩＤと当該利用者ＩＤと選択された楽曲ＩＤとに基づいて、次のデータが選曲情報信号としてカラオケ演奏装置１０に送られて予約登録される。
【００３０】
DK_TAROU(当該利用者ＩＤ)＋1111-11(楽曲ＩＤ)＋A33115(背景映像ＩＤ)
これらの選曲情報信号はカラオケ演奏装置１０に利用者ＩＤと楽曲ＩＤと背景映像ＩＤとが紐付けされて記録され、当該利用者が予約登録した楽曲の演奏がスピーカ１９から再生されるとともに、選択された「エコー堂化粧品」の企業もしくは企業商品が含まれている背景映像と当該楽曲の歌詞文字群が、楽曲の進行に同期してモニタ２２に表示される（ステップ108）。
【００３１】
なお、背景映像ジャンル選択画面で、利用者が例えば「動物」のジャンルを選択すれば（ステップ105→107）、予約登録した楽曲の演奏がスピーカ１９から再生されるとともに、犬や猫あるいは他の動物の映っている背景映像と当該楽曲の歌詞文字群がモニタ２２に表示される。
【００３２】
一方、ログインしている他の利用者がリモコン装置５０のＧＵＩ５１に表示される名前や顔写真の中から自分を指定した後、所望する楽曲（こちらは楽曲Ｂとする）を選択した場合も同様に、図１０に示すように、背景映像の選択画面が表示される。そして、前記他の利用者が「ＣＭ」ジャンルを選択したときは、「ＣＭ」ジャンルの中から更に複数のＣＭ背景映像のメニューが表示される。楽曲Ｂの場合は、図１３に示すように、例えば「１こだまウォッチ」と「２第一自動車」と「３ダム食品」の３つＣＭ背景映像の中から、利用者はどれか一つの背景映像を選択することができる。
【００３３】
前記他の利用者が「１こだまウォッチ」を選択することで図１０の転送画面に戻り、「転送」ボタンを押すことにより、「こだまウォッチ」の背景映像ＩＤと当該利用者ＩＤと選択された楽曲ＩＤとに基づいて、次のデータが選曲情報信号としてカラオケ演奏装置１０に送られて予約登録される。
【００３４】
DK_JIROU(当該利用者ＩＤ)＋2222-22(楽曲ＩＤ)＋C12345(背景映像ＩＤ)
そして、前述したようにこれらの選曲情報信号はカラオケ演奏装置１０に利用者ＩＤと楽曲ＩＤと背景映像ＩＤとが紐付けされて記録され、当該利用者が予約登録した楽曲の演奏がスピーカ１９から再生されるとともに、選択された「こだまウォッチ」の企業もしくは企業商品が含まれている背景映像と当該楽曲の歌詞文字群が、楽曲の進行に同期してモニタ２２に表示される。
【００３５】
なお、前述した楽曲Ａの場合は、「１ビックコーラ」と「２エコー堂化粧品」との異なる２つのＣＭ背景映像を選択可能であり、楽曲Ｂの場合は、「１こだまウォッチ」と「２第一自動車」と「３ダム食品」との異なる３つＣＭ背景映像を選択可能となっている。これは、楽曲Ａと楽曲Ｂとでは、楽曲のジャンルが異なっており、例えば、当該楽曲が演歌であるかポップスであるか、あるいは歌唱アーティストの男女別や楽曲の発売年などの相違によって、当該楽曲を嗜好する利用者層が異なるので、楽曲によって選択可能なＣＭ背景映像が異なって設定されている。
【００３６】
このように、任意の利用者が所望の楽曲を予約登録する際に、前記ＣＭジャンルの中からＣＭ背景映像を選択すると、背景映像別楽曲別利用者属性情報管理手段は、リモコン装置５０から転送された背景映像ＩＤと、楽曲ＩＤと、図４に示した利用者ＩＤに基づく利用者情報を紐付けして、カラオケ装置１０に記憶されている「背景映像別楽曲別利用者属性情報管理テーブル」に新しいデータとして追記する（ステップ109）。この「背景映像別楽曲別利用者属性情報管理テーブル」を図５に示す。このテーブルは背景映像ＩＤと、楽曲ＩＤと、それらを選択した利用者の生年月日や性別などの利用者属性情報が記録されている。
【００３７】
背景映像選択頻度統計手段は、この「背景映像別楽曲別利用者属性情報管理テーブル」に基づいて、後述するような背景映像の選択頻度を統計する（ステップ110）。まず、図６は、背景映像選択頻度統計手段により背景映像ＩＤ別楽曲ＩＤ別の背景映像の選択頻度を統計して作成された「背景映像ＩＤ別楽曲ＩＤ別背景映像選択頻度テーブル」であり、予め紐付けされているＣＭ背景映像と楽曲の組合せが何回選択されたかを表している。
【００３８】
次に、図７は、背景映像選択頻度統計手段により背景映像ＩＤ別利用者属性情報別の選択頻度を統計して作成された「背景映像ＩＤ別利用者属性情報別の選択頻度テーブル」であり、ＣＭ背景映像を選択した利用者の属性情報を所定の条件にて区分し、それぞれの区分にてＣＭ背景映像が何回選択されたかを表している。
【００３９】
また、図８は、背景映像選択頻度統計手段により背景映像ＩＤ別楽曲ＩＤ別利用者属性情報別の選択頻度を統計して作成された「背景映像ＩＤ別楽曲ＩＤ別利用者属性情報別の選択頻度テーブル」であり、予め紐付けされているＣＭ背景映像と楽曲の組合せを選択した利用者の属性情報を、所定の条件にて区分し、それぞれの区分にてＣＭ背景映像と楽曲の組合せが何回選択されたかを表している。
【００４０】
図１４は背景映像選択頻度統計手段によって統計された「背景映像ＩＤ別楽曲ＩＤ別背景映像選択頻度テーブル」に基づいて、楽曲毎のＣＭ背景映像選択比率をＣＭ背景映像別に示した説明図である。例えば「ビックコーラ」のＣＭ背景映像は楽曲Ａまたは楽曲Ｄを予約登録する際に選択可能であり、楽曲Ａを予約登録した利用者の中で「ビックコーラ」のＣＭ背景映像を選択した割合が３０％であり、楽曲Ｄを予約登録した利用者の中で「ビックコーラ」のＣＭ背景映像を選択した割合が２５％であることを示している。同様に「こだまウォッチ」のＣＭ背景映像は楽曲Ｂまたは楽曲Ｅまたは楽曲Ｈを予約登録する際に選択可能であり、楽曲Ｂを予約登録した利用者の中で「こだまウォッチ」のＣＭ背景映像を選択した割合が４５％であり、楽曲Ｅの選択割合が３０％、楽曲Ｈの選択割合が５０％であることを示している。
【００４１】
ここで、楽曲Ｂが「こだまウォッチ」と「第一自動車」と「ダム食品」の３つのＣＭ背景映像に重複しているが、これは、図１３に示すように、利用者が楽曲Ｂを予約登録する際に、「こだまウォッチ」と「第一自動車」と「ダム食品」の３つＣＭ背景映像が選択可能となっているためである。これと同様に、他の楽曲についても複数のＣＭ背景映像に重複している場合が多い。
【００４２】
前述したように、楽曲が演歌であるかポップスであるか、あるいは歌唱アーティストの男女別や楽曲の発売年などの相違によって、当該楽曲を嗜好する利用者層が異なるので、楽曲によって選択可能なＣＭ背景映像が異なって設定されている。従って、ＣＭ背景映像を提供する側（スポンサーなど）にとって、どの楽曲がどのような利用者層に選択されているかを正確に知ることが大切である。
【００４３】
図１５は、背景映像選択頻度統計手段によって統計された「背景映像ＩＤ別楽曲ＩＤ別利用者属性情報別の選択頻度テーブル」に基づいた、所定の背景映像と楽曲の組合せについての利用者属性情報と当該楽曲の属性情報とを、ＣＭ背景映像の提供者であるスポンサーへ視聴率的な情報としてフィードバックすることを示す説明図である。例えば、ＣＭ背景映像の「エコー堂化粧品」が紐付けされている楽曲Ｇは、６０％と高い選択頻度を有しているが、この楽曲Ｇについて、歌唱アーティスト名、演歌またはポップスなどのジャンル、発売年などの楽曲属性情報や、当該楽曲を選択した利用者が男性か女性か、あるいはその年齢層といった利用者属性情報をスポンサーに送る。
【００４４】
スポンサー側は、当該ＣＭ背景映像を選択した利用者属性情報や楽曲属性情報に基づいて、どのような利用者層がどのような楽曲を予約登録するかといった傾向を把握することが可能となる。このことから、ＣＭ嗜好層が絞られて、同様の嗜好層を検討することにより、ＣＭ背景映像を別の対応楽曲に紐付けすることができ、効果的なコマーシャル情報を提供することができる。
【００４５】
なお、本発明は、本発明の精神を逸脱しない限り種々の改変を為すことができ、そして、本発明が該改変されたものに及ぶことは当然である。
【図面の簡単な説明】
【００４６】
【図１】本発明に係るカラオケシステムの全体構成図。
【図２】本発明に係る制御手順のフローチャート。
【図３】本発明に係る制御手段のブロック図。
【図４】本発明に係る利用者属性情報
【図５】本発明に係る背景映像別楽曲別利用者属性情報管理テーブル
【図６】本発明に係る背景映像ＩＤ別楽曲ＩＤ別背景映像選択頻度テーブル
【図７】本発明に係る背景映像ＩＤ別利用者属性情報別背景映像選択頻度テーブル
【図８】本発明に係る背景映像ＩＤ別楽曲ＩＤ別利用者属性情報別背景映像選択頻度テーブル
【図９】本発明に係る背景映像選択画面の説明図。
【図１０】本発明に係る背景映像選択画面の説明図。
【図１１】本発明に係る背景映像選択画面の説明図。
【図１２】本発明に係る背景映像選択画面の説明図。
【図１３】本発明に係る背景映像選択画面の説明図。
【図１４】本発明に係る楽曲毎のＣＭ背景映像選択比率をＣＭ背景映像別に示した説明図。
【図１５】本発明に係る所定の背景映像と楽曲の組合せについての利用者属性情報と楽曲属性情報とのスポンサーへのフィードバックを示した説明図。
【符号の説明】
【００４７】
１０  カラオケシステム
１１  中央制御部
１３  ハードディスク装置
２１  映像制御部
２２  モニタ
５０  リモコン装置
５１  予約入力部 
【図１】
0004522966.tif 000002
【図２】
0004522966.tif 000003
【図３】
0004522966.tif 000004
【図４】
0004522966.tif 000005
【図５】
0004522966.tif 000006
【図６】
0004522966.tif 000007
【図７】
0004522966.tif 000008
【図８】
0004522966.tif 000009
【図９】
0004522966.tif 000010
【図１０】
0004522966.tif 000011
【図１１】
0004522966.tif 000012
【図１２】
0004522966.tif 000013
【図１３】
0004522966.tif 000014
【図１４】
0004522966.tif 000015
【図１５】
0004522966.tif 000016